(57)【特許請求の範囲】
【請求項１】
支柱またはコーナーパネル等に着脱自在に構成された表示板に、糖度表示の対象となる商品名を記した品名パネルを表示する品名欄と、商品の実測糖度を数値で表示する実測表示欄と、実測糖度の目安となる基準を数値で表示する目安欄とが設けられた糖度表示具において、前記目安欄には、商品の糖度の基準値を甘さの程度に応じて段階的な数値で示す複数の表示窓が設けられると共に、各表示窓の近傍に糖度でわかるおいしさの目安として甘さの程度が段階的に言葉で表示され、さらに前記目安欄の近傍に前記実測糖度がどの程度の甘さであるかを示す矢印パーツがスライド自在に設けられていることを特徴とする糖度表示具。
【請求項２】
前記甘さの程度が段階的に表示された言葉として、「とても甘い」、「甘い」、「ふつう」との三段階の甘さの程度が表記された３個の表示窓が形成されていることを特徴とする請求項１記載の糖度表示具。
【請求項３】
前記実測表示欄は小数点以下の数字を示す欄を有し、この欄が他の実数の欄より小面積にされたことを特徴とする請求項１又は２記載の糖度表示具。
【発明の詳細な説明】
【０００１】
【発明の属する技術分野】
本発明は、商店に陳列した果実等に関する糖度の実測値を表示すると共に、この糖度の甘さのレベルを示すようにした糖度表示具に関する。
【０００２】
【従来の技術】
従来から、商店に陳列された商品に関する品名や価格等のほか、商品の産地やその他の商品情報を併せて表示することにより、購買意欲を促進することが行われている。
【０００３】
このような商品表示において、果実の場合、品名、産地、規格（青果物の一般品質表示ガイドラインに基づく）、価格、価格の単位等のほかに、その果実の甘さを表示することによって購買者への情報提供を行うと共に、購買意欲を促進することが行われている。
【０００４】
この果実の甘さを表示する方法としては、果実の実測糖度を表示することが最も正確な情報提供となるが、糖度を数値で示すと、その糖度がどの程度の甘さのレベルにあるのか理解し難いため、「とても甘いメロン」というように漠然とした手書きで表示しているのが現状である。
【０００５】
また、同じ種類の果実であっても、実測糖度は変動するものであるため、表示する数値を簡単に変更し得る手段が必要となる。
【０００６】
【発明が解決しようとする課題】
以上述べたように、果実の実測糖度を表示するには、その実測糖度を簡単な操作で変更し得る手段と、その糖度の甘さのレベルを示す規準値を表示することが必要であり、そのための効果的な表示手段が求められていたのである。
【０００７】
本発明は、このような事情に鑑みて成されたもので、商店に陳列した果実等に関する糖度の実測値を表示すると共に、この糖度の甘さのレベルを示す規準値を表示するようにした糖度表示具を提供することを目的とする。
【０００８】
【課題を解決するための手段】
上記の目的を達成するために、本発明の請求項１の糖度表示具は、支柱またはコーナーパネル等に着脱自在に構成された表示板に、糖度表示の対象となる商品名を記した品名パネルを表示する品名欄と、商品の実測糖度を数値で表示する実測表示欄と、実測糖度の目安となる基準を数値で表示する目安欄とが設けられた糖度表示具において、前記目安欄には、商品の糖度の基準値を甘さの程度に応じて段階的な数値で示す複数の表示窓が設けられると共に、各表示窓の近傍に糖度でわかるおいしさの目安として甘さの程度が段階的に言葉で表示され、さらに前記目安欄の近傍に前記実測糖度がどの程度の甘さであるかを示す矢印パーツがスライド自在に設けられていることを特徴とする。
【０００９】
また、本発明の請求項２の糖度表示具は、請求項１において、前記甘さの程度が段階的に表示された言葉として、「とても甘い」、「甘い」、「ふつう」との三段階の甘さの程度が表記された３個の表示窓が形成されていることを特徴とする。
【００１０】
さらに、本発明の請求項３の糖度表示具は、請求項１又は２において、前記実測表示欄は小数点以下の数字を示す欄を有し、この欄が他の実数の欄より小面積にされたことを特徴とする。
【００１１】
【発明の実施の形態】
以下、本発明の実施例について図面を参照しながら説明する。
【００１２】
本発明による糖度表示具の表示状態を示す図１において、この糖度表示具１は支柱１０またはコーナーパネル１１等に着脱自在に構成された表示板２に、糖度表示の対象となる商品名を記した品名パネル６を表示する品名欄３と、商品の実測糖度を数値で表示する実測表示欄４と、実測糖度の目安となる基準を数値で表示する目安欄５とが設けられた構成とされている。
【００１３】
このような本発明による糖度表示具１の構成をより詳細に述べると、図１に示すように、品名パネル６を表示する品名欄３は表示板２の左方上部に形成された表示窓３ａを有し、この表示窓３ａに各種の品名パネル６を取り替える係止手段が設けられた構成とされている。
【００１４】
この係止手段としては周知の技術を用い、例えば、表示窓３ａの背後に背板３ｂ（図２参照）を設けると共に、背板３ｂと表示窓３ａの両端に品名パネル６の両端を係止する隙間３ｃ、３ｃを設けた構成としてもよい。なお、図２に示す小窓３ｄは表示窓３ａに係止された品名パネル６を背後から指で押し出して取り出す際に有効である。
【００１５】
また、図１においては、例として、「巨峰」と表記された品名パネル６が取り付けられているが、糖度表示の対象商品に応じてこの品名パネル６を自在に取り替えることが可能である。
【００１６】
品名パネル６を表示する品名欄３の下方には、例えば「この商品の糖度は」と表記されたことにより、その下方の欄が商品の実測糖度を示した実測表示欄４であると理解できる。
【００１７】
この実測表示欄４は、二桁の実数を示す２個の表示窓４ａ、４ａと小数点第一位の数を示す小面積の表示窓４ｂで構成され、夫々の表示窓には周知のデジタル式回転表示手段７、即ち二つ割りの回転板７ａをギア７ｂ（図２参照）で回転することにより個々の数値を変更可能に表示する手段が設けられている。
【００１８】
さらに、図１において、表示板２の右方に、「糖度でわかる！」「おいしさの目安」と表記されたことにより、その下方の欄が、上記の実測糖度がどの程度の甘さであるかを知るための欄、即ち実測糖度の目安となる基準値を表示した目安欄５として機能する。
【００１９】
この欄は、「とても甘い」、「甘い」、「ふつう」の三段階の甘さの程度が表記された３個の表示窓５ａ、５ａ…が縦方向に形成されて成り、図２に示すように、表示板２の背部には個々の表示窓５ａ、５ａ…に対応する位置に差込枠８、８…が設けられている。この差込枠８は後述するリーフ９を折り畳んだ状態で表示板２の側方から差込んで係止する所定間隔の仕切８ａ、８ａ…と係止板８ｂとから構成されている。
【００２０】
上記のリーフ９は、図３(a) に示すように、長尺の紙片の上下に糖度の基準値を示す数値が二列に記され、上方の数値は反転状態で記してあり、上下２個の数字を一組として区分された点線に沿って紙片を図３(b) に示すように折り畳むことにより、個々の差込枠８に挿入する大きさのリーフ９が構成される。このようなリーフ９によって所定の数値、例えば図３(b) における「１３、１４」という数字を表に出した状態に折り畳むことができる。
【００２１】
また、図２に示すように、表示板２には個々の差込枠８の中央ではなくて下方にずらした位置に表示窓が５ａが形成され、場合によっては折り畳んだリーフ９を逆転して差し込むことにより、所望の数値を表示板２の表示窓５ａから表向きに表示することが可能となる。
【００２２】
さらに、目安欄５の側方近傍には実測糖度がどのような甘さのレベルであるかを示す矢印パーツ１２をスライド自在に設けている。
【００２３】
この矢印パーツ１２は、図５に示すように、２本の弾性片１２ａ、１２ｂを垂直方向に突出してあり、片方の弾性片１２ｂには係止用突起１２ｃが設けられ、表示板２に形成された縦長のスリット１３に矢印パーツ１２の弾性片１２ａ、１２ｂを係止して着脱自在且つスライド自在に取り付けられる。
【００２４】
また、本実施例の糖度表示具１の背面には、支柱１０（図１又は図２において二点鎖線で示す）に挿着するための弾性嵌合部材１４とコーナーパネル１１等に掛止するためのフック１５が併せて設けられ、図１または図４に示すように糖度表示具１の設置箇所に応じて着脱自在に取付けることが可能とされている。
【００２５】
なお、上記の実施例において、品名欄３に表記する商品名は商品パネル６に印刷等により書かれ、実測表示欄４に表記する数字は回転板７ａに印刷等により書かれ、また目安欄５に表記する数字はリーフ９（紙片）に印刷等により書かれたものとしているが、本発明においては、電子処理された液晶表示による文字または数字で表記するようにしてもよい。
【００２６】
【発明の効果】
以上説明したように、本発明の糖度表示具によれば、支柱またはコーナーパネル等に着脱自在に構成された表示板に、糖度表示の対象となる商品名を記した品名パネルを表示する品名欄と、商品の実測糖度を数値で表示する実測表示欄と、該実測糖度の目安となる基準を数値で表示する目安欄とが設けられたことにより、この糖度表示具を商品の陳列状況に応じて支柱またはコーナーパネル等に容易に装着することができ、購買者は商品の実測糖度を正確に知ると共に、その糖度の甘さの程度を容易に知ることができる。
【００２７】
また、上記の糖度表示具においては、予め用意されたリーフや付設された数値表示手段によって実測糖度を商品ごとに変更することが可能であり、従来のように手書きによる表示をする必要がなく、商店側の表示作業も楽に行え、また意匠的にも優れた糖度表示を行うことが可能となる。
【図面の簡単な説明】
【図１】本発明による糖度表示具をコーナーパネル等に装着した状況を示す斜視図である。
【図２】本発明による糖度表示具の背面図である。
【図３】(a) は本発明による糖度表示具の目安欄に用いるリーフの展開図であり、(b) はリーフを折り畳んだ状況を示す斜視図である。
【図４】図１の側面図である。
【図５】本発明による糖度表示具の目安欄の近傍に設けた矢印パーツの取付け状況を示す側方図である。
【符号の説明】
１…糖度表示具
２…表示板
３…品名欄
４…実測表示欄
５…目安欄
６…品名パネル
７…デジタル式回転表示手段
８…差込枠
９…リーフ
１０…支柱
１１…コーナーパネル
１２…矢印パーツ
１３…スリット
１４…弾性嵌合部材
１５…フック
【図１】
0004247452.tif 000002
【図２】
0004247452.tif 000003
【図３】
0004247452.tif 000004
【図４】
0004247452.tif 000005
【図５】
0004247452.tif 000006